(57)【特許請求の範囲】
【請求項１】
圧縮機と、該圧縮機と第１配管を介して接続された室内熱交換器と、前記室内熱交換器と第２配管を介して接続された膨張弁と、該膨張弁と第３配管を介して接続された室外熱交換器とを備え、該室外熱交換器は前記圧縮機に第４配管を介して接続された冷凍サイクル装置であって、前記圧縮機を囲むように配置され前記圧縮機で発生した熱を蓄積する蓄熱材と、該蓄熱材に蓄積された熱と冷媒とで熱交換を行う蓄熱熱交換器とを有する蓄熱装置と、前記蓄熱装置の前記蓄熱材の温度を検出する温度検出手段と、室外温度を検出する室外温度検出手段と、タイマーとを備え、冷凍サイクル装置の運転停止時に、タイマーにより一定時間後に運転開始するように設定され、前記温度検出手段により検出された温度が設定値より低い場合、室外温度検出手段により検出された室外温度と前記温度検出手段により検出された前記蓄熱材の温度とタイマーにより設定された停止時間とを用い、運転開始時までの前記蓄熱材の温度の低下温度を算出し、運転開始時に前記蓄熱材の温度が第２の設定値以上となるように、前記蓄熱材の温度が第２の設定値に前記低下温度を加えた第３の設定値より高くなるまで、前記圧縮機の運転を継続することを特徴とする冷凍サイクル装置。
【請求項２】
前記圧縮機と前記第３配管とを第１電磁弁を介し接続する第５配管と、前記第２配管と前記蓄熱熱交換器とを第２電磁弁を介し接続する第６配管と、前記蓄熱熱交換器と第４配管とを接続し、前記蓄熱熱交換器からの冷媒を前記第４配管に導く第７配管とをさらに備えることを特徴とする請求項１に記載の冷凍サイクル装置。
【請求項３】
炭素と炭素間に二重結合を有するハイドロフルオロオレフィンを少なくとも含む冷媒であって、前記ハイドロフルオロオレフィンはテトラフルオロプロペンまたはトリフルオロプロペンの単一冷媒、またはそれらをベース成分とし、地球温暖化係数が５以上、７５０以下となるように、望ましくは３５０以下、さらに望ましくは１５０以下となるように、２成分混合もしくは３成分混合した冷媒を用いたことを特徴とする請求項１または２に記載の冷凍サイクル装置。
【請求項４】
炭素と炭素間に二重結合を有するハイドロフルオロオレフィンを少なくとも含む冷媒であって、前記ハイドロフルオロオレフィンはテトラフルオロプロペンまたはトリフルオロプ
ロペンをベース成分とし、ジフルオロメタンまたはペンタフルオロエタンまたはテトラフルオロエタンを、地球温暖化係数が５以上、７５０以下となるように、望ましくは３５０以下、さらに望ましくは１５０以下となるようにそれぞれ２成分混合もしくは３成分混合した冷媒を用いたことを特徴とする請求項１または２に記載の冷凍サイクル装置。
【請求項５】
前記圧縮機に用いる冷凍機油として、ポリオキシアルキレングリコール類、ポリビニルエーテル類、ポリ（オキシ）アルキレングリコールまたはそのモノエーテルとポリビニルエーテルの共重合体、ポリオールエステル類、及びポリカーボネート類のいずれかの含酸素化合物を主成分とする合成油か、アルキルベンゼン類やαオレフィン類を主成分とする合成油を用いることを特徴とする請求項１〜４のいずれか１項に記載の冷凍サイクル装置。
【発明の詳細な説明】
【技術分野】
【０００１】
本発明は、圧縮機と室内熱交換器と膨張弁と室外熱交換器が互いに冷媒配管で接続された冷凍サイクル装置に関し、特に圧縮機の信頼性を向上させることができる冷凍サイクル装置に関する。
【背景技術】
【０００２】
従来、ヒートポンプ式冷凍サイクル装置に用いられている密閉型圧縮機では、密閉型圧縮機内に貯留する潤滑油を加熱するヒータを備えたものがある（例えば、特許文献１参照）。図５は、従来の密閉型圧縮機を示すものである。密閉容器内に潤滑油とガス冷媒とが共存し、外気温が低い状態などでは、潤滑油に多量の冷媒が溶け込み、潤滑油の粘度が低下する。そして、粘度が低下したままの状態で圧縮機３１を運転すると、低粘度の潤滑油が圧縮機構などへ供給されることとなり、潤滑不良が生じて圧縮機３１の損傷を招くという課題がある。この課題に対して、密閉型圧縮機３１内に貯留する潤滑油をヒータ３２で加熱し、潤滑油に溶け込んでいる冷媒量を削減することで潤滑油の粘度を回復させるという対策が提案されている。
【０００３】
また、現在、冷凍サイクル装置などの冷媒には、ハイドロフルオロカーボン（ＨＦＣ）冷媒、例えば、Ｒ−４１０Ａ等が使用されている。しかしこのＨＦＣ系冷媒は、温暖化係数が非常に高く、温暖化防止のため、排出規制の対象となっている。そのため、温暖化係数の低いハイドロフルオロオレフィン（ＨＦＯ）冷媒を冷凍サイクル装置の冷媒として用いることが検討されている。
【先行技術文献】
【特許文献】
【０００４】
【特許文献１】特開平１０−１４８４０５号公報
【発明の概要】
【発明が解決しようとする課題】
【０００５】
しかしながら、塩素原子を含まず地球温暖化係数の低い炭素と炭素間に二重結合を有するハイドロフルオロオレフィン（ＨＦＯ）冷媒、例えばＨＦＯ−１２３４ｙｆ等を作動流体として使用する場合、冷媒の密度は、従来の冷凍サイクル装置に使用されているハイドロフルオロカーボン（ＨＦＣ）冷媒、例えばＲ−４１０Ａ等より低下するため、従来の形
状の圧縮機を使用すると、同じ能力を出すためには圧縮機のシリンダ容積を増加させる必要があり、圧縮機の容器は大きくなる。
【０００６】
その影響で、従来のようにヒータで加熱する構成では、潤滑油を均一に加熱することが難しくなり、該潤滑油の温度分布にムラが生じる可能性が生じる。その場合、高温となった部分において、ＨＦＯ冷媒は炭素と炭素間に二重結合を有するため、Ｒ−４１０Ａ等と比較して分解し易くなり、その結果、潤滑油や冷凍サイクルに使用されている樹脂やエラストマー等の材料劣化を生じるおそれがある。また、ＨＦＯ冷媒はＲ−４１０Ａ等に比べ、圧縮機内の潤滑油に冷媒が溶け込みやすいため、潤滑油の粘度が低下しやすい。これにより、粘度の低い潤滑油が供給されるおそれがあり、潤滑不良によって圧縮機の信頼性が低下してしまうという課題を有していた。
【０００７】
本発明は、前記従来の課題を解決するもので、作動流体に塩素原子を含まず地球温暖化係数の低い炭素と炭素間に二重結合を有するハイドロフルオロオレフィンを主体とした冷媒を使用する場合においても、信頼性を維持できる冷凍サイクル装置の提供を目的とする。
【課題を解決するための手段】
【０００８】
前記従来の課題を解決するために本発明は、圧縮機と、圧縮機と第１配管を介して接続された室内熱交換器と、室内熱交換器と第２配管を介して接続された膨張弁と、膨張弁と第３配管を介して接続された室外熱交換器とを備え、室外熱交換器は圧縮機に第４配管を介して接続された冷凍サイクル装置であって、圧縮機を囲むように配置され圧縮機で発生した熱を蓄積する蓄熱材と、蓄熱材に蓄積された熱と冷媒とで熱交換を行う蓄熱熱交換器とを有する蓄熱装置と、前記蓄熱装置の前記蓄熱材の温度を検出する温度検出手段と、室外温度を検出する室外温度検出手段と、タイマーとを備え、冷凍サイクル装置の運転停止時に、タイマーにより一定時間後に運転開始するように設定され、前記温度検出手段により検出された温度が設定値より低い場合、室外温度検出手段により検出された室外温度と前記温度検出手段により検出された前記蓄熱材の温度とタイマーにより設定された停止時間とを用い、運転開始時までの前記蓄熱材の温度の低下温度を算出し、運転開始時に前記蓄熱材の温度が第２の設定値以上となるように、前記蓄熱材の温度が第２の設定値に前記低下温度を加えた第３の設定値より高くなるまで、前記圧縮機の運転を継続するものである。
【０００９】
これにより、塩素原子を含まず地球温暖化係数の低い炭素と炭素間に二重結合を有するハイドロフルオロオレフィンを主体とした冷媒を使用する場合においても、圧縮機を囲むように配置された蓄熱材により、圧縮機で発生した熱を利用して、圧縮機停止時においても潤滑油の温度低下を防止し、潤滑油への冷媒の過度の溶け込みを抑制することができる。
【発明の効果】
【００１０】
本発明によれば、圧縮機運転開始時等の潤滑油の粘度低下に起因する潤滑不良を確実に防止し、地球環境にやさしく、圧縮機構の信頼性低下を防止することができる。
【図面の簡単な説明】
【００１１】
【図１】本発明の実施の形態に係る冷凍サイクル装置の構成を示す図
【図２】本発明の実施の形態の冷媒の圧力、潤滑油に対する冷媒溶解量および温度の関係を示す相関図
【図３】本発明の実施の形態における潤滑油の温度、粘度、および冷媒溶解量の関係を示す相関図
【図４】本発明の実施の形態における２成分を混合した冷媒の混合比率による地球温暖化係数を示した特性図
【図５】従来の圧縮機の構成を示す模式図
【発明を実施するための形態】
【００１２】
本発明の第１の実施の形態による冷凍サイクル装置は、圧縮機と、圧縮機と第１配管を介して接続された室内熱交換器と、室内熱交換器と第２配管を介して接続された膨張弁と、膨張弁と第３配管を介して接続された室外熱交換器とを備え、室外熱交換器は圧縮機に第４配管を介して接続された冷凍サイクル装置であって、圧縮機を囲むように配置され圧縮機で発生した熱を蓄積する蓄熱材と、蓄熱材に蓄積された熱と冷媒とで熱交換を行う蓄熱熱交換器と、蓄熱装置の蓄熱材の温度を検出する温度検出手段と、室外温度を検出する室外温度検出手段と、タイマーとを備え、冷凍サイクル装置の運転停止時に、タイマーにより一定時間後に運転開始するように設定され、温度検出手段により検出された温度が設定値より低い場合、室外温度検出手段により検出された室外温度と温度検出手段により検出された蓄熱材の温度とタイマーにより設定された停止時間とを用い、運転開始時までの蓄熱材の温度の低下温度を算出し、運転開始時に蓄熱材の温度が第２の設定値以上となるように、蓄熱材の温度が第２の設定値に低下温度を加えた第３の設定値より高くなるまで、圧縮機の運転を継続することより、運転停止時に潤滑油へ冷媒の溶け込みを抑制することで圧縮機構の信頼性低下を防止することができる。
【００１３】
本発明の第２の実施の形態は、第１の実施の形態による冷凍サイクル装置において、圧縮機と第３配管とを第１電磁弁を介し接続する第５配管と、第２配管と蓄熱熱交換器とを第２電磁弁を介し接続する第６配管と、蓄熱熱交換器と第４配管とを接続し、蓄熱熱交換器からの冷媒を第４配管に導く第７配管とをさらに備え、蓄熱装置に蓄えられた熱を、運転停止時に潤滑油へ冷媒の溶け込みを抑制することに利用し、圧縮機構の信頼性低下を防止することができ、さらに、低外気温時の運転開始時や室外熱交換器への着霜を取る除霜運転時に利用することで、性能の向上を図ることができる。
【００１４】
本発明の第３の実施の形態は、第１または第２の実施の形態による冷凍サイクル装置において、冷媒は、炭素と炭素間に二重結合を有するハイドロフルオロオレフィンを少なくとも含む冷媒であって、ハイドロフルオロオレフィンはテトラフルオロプロペンまたはトリフルオロプロペンを単一冷媒、またはそれらを主成分とし、地球温暖化係数が５以上、７５０以下となるように、望ましくは３５０以下、さらに望ましくは１５０以下となるようにそれぞれ２成分混合もしくは３成分混合した冷媒を用い、吐出温度を低く抑え、冷媒の分解を抑えることが可能となり、効果的に高信頼性で高効率な冷凍サイクル装置を提供できる。
【００１５】
本発明の第４の実施の形態は、第１または第２の実施の形態による冷凍サイクル装置において、冷媒は、炭素と炭素間に二重結合を有するハイドロフルオロオレフィンを少なくとも含む冷媒であって、ハイドロフルオロオレフィンはテトラフルオロプロペンまたはトリフルオロプロペンをベース成分とし、ジフルオロメタンまたはペンタフルオロエタンまたはテトラフルオロエタンを、地球温暖化係数が５以上、７５０以下となるように、望ましくは３５０以下、さらに望ましくは１５０以下となるようにそれぞれ２成分混合もしくは３成分混合した冷媒を用い、吐出温度を低く抑え、冷媒の分解を抑えることが可能となり、効果的に高信頼性で高効率な冷凍サイクル装置を提供できる。
【００１６】
本発明の第５の実施の形態は、第１から第４の実施の形態による冷凍サイクル装置において、圧縮機に用いる冷凍機油として、ポリオキシアルキレングリコール類、ポリビニルエーテル類、ポリ（オキシ）アルキレングリコールまたはそのモノエーテルとポリビニルエーテルの共重合体、ポリオールエステル類、及びポリカーボネート類のいずれかの含酸素化合物を主成分とする合成油か、アルキルベンゼン類やαオレフィン類を主成分とする
合成油を用い、圧縮機の潤滑性を高め、摺動部の温度を低く抑え、冷媒の分解を抑えることが可能となり、効果的に高信頼性で高効率な冷凍サイクル装置を提供できる。
【００１７】
以下に、本発明の冷凍サイクル装置の一実施例について説明する。なお、この実施の形態によって本発明が限定されるものではない。
【００１８】
以下、本発明の実施の形態について、図面を参照しながら説明する。
【００１９】
（実施の形態１）
図１は、本発明の実施の形態１に係る冷凍サイクル装置の構成を示している。冷凍サイクル装置は、冷媒配管で互いに接続された室外機１と室内機２とで構成されている。
【００２０】
図１に示されるように、室外機１の内部には、圧縮機３と四方弁４と膨張弁６と室外熱交換器７とが設けられ、室内機２の内部には、室内熱交換器５が設けられ、これらは冷媒配管を介して互いに接続されることで冷凍サイクルを構成している。
【００２１】
さらに詳述すると、圧縮機３と室内熱交換器５は、四方弁４が設けられた第１配管８を介して接続され、室内熱交換器５と膨張弁６は、第２配管９を介して接続されている。また、膨張弁６と室外熱交換器７は第３配管１０を介して接続され、室外熱交換器７と圧縮機３は第４配管１１を介して接続されている。
【００２２】
第４配管１１の中間部には四方弁４が配置されており、圧縮機３の冷媒吸入側における第４配管１１には、液相冷媒と気相冷媒を分離するためのアキュームレータ１２が設けられている。
【００２３】
また、圧縮機３と第３配管１０は、第５配管１３を介して接続されており、第５配管１３には第１電磁弁１４が設けられている。
【００２４】
さらに、圧縮機３の周囲には蓄熱槽１５が設けられ、蓄熱槽１５の内部には、蓄熱熱交換器１６が設けられるとともに、蓄熱熱交換器１６と熱交換するための蓄熱材（例えば、エチレングリコール水溶液）１７が充填されており、蓄熱槽１５と蓄熱熱交換器１６と蓄熱材１７とで蓄熱装置を構成している。
【００２５】
また、第２配管９と蓄熱熱交換器１６は第６配管１８を介して接続され、蓄熱熱交換器１６と第４配管１１は第７配管１９を介して接続されており、第６配管１８には第２電磁弁２０が設けられている。
【００２６】
室内機２の内部には、室内熱交換器５に加えて、送風ファン（図示せず）と上下羽根（図示せず）と左右羽根（図示せず）とが設けられており、室内熱交換器５は、送風ファンにより室内機２の内部に吸込まれた室内空気と、室内熱交換器５の内部を流れる冷媒との熱交換を行い、暖房時には熱交換により暖められた空気を室内に吹き出す一方、冷房時には熱交換により冷却された空気を室内に吹き出す。上下羽根は、室内機２から吹き出される空気の方向を必要に応じて上下に変更し、左右羽根は、室内機２から吹き出される空気の方向を必要に応じて左右に変更する。
【００２７】
なお、圧縮機３、送風ファン、上下羽根、左右羽根、四方弁４、膨張弁６、第１電磁弁１４、第２電磁弁２０等は制御装置（図示せず、例えばマイコン）に電気的に接続され、制御装置により制御される。
【００２８】
また、蓄熱熱交換器１６の近傍には、蓄熱材の温度を検出する温度検出手段としての蓄
熱温度センサ２１が設けられている。室外熱交換器７の近傍には、外気温度を検出する室外温度検出手段としての外気温センサ２２が設けられている。
【００２９】
さらに、制御装置には、運転停止した冷凍サイクル装置を一定時間後に運転開始するように設定するためのタイマー（図示せず）を備えている。
【００３０】
本実施例による冷暖房装置を構成する冷媒回路には、冷媒は、ハイドロフルオロオレフィンはテトラフルオロプロペン（ＨＦＯ１２３４ｙｆまたはＨＦＯ１２３４ｚｅ）またはトリフルオロプロペン（ＨＦＯ１２４３ｚｆ）を、単一冷媒、またはそれらを主成分とし、ジフルオロメタン（ＨＦＣ３２）またはペンタフルオロエタン（ＨＦＣ１２５）またはテトラフルオロエタン（ＨＦＣ１３４ａ）を、地球温暖化係数が５以上、７５０以下となるように、望ましくは３５０以下、さらに望ましくは１５０以下となるようにそれぞれ２成分混合もしくは３成分混合したものである。
【００３１】
また、圧縮機３に用いる冷凍機油は、ポリオキシアルキレングリコール類、ポリビニルエーテル類、ポリ（オキシ）アルキレングリコールまたはそのモノエーテルとポリビニルエーテルの共重合体、ポリオールエステル類、及びポリカーボネート類のいずれかの含酸素化合物を主成分とする合成油か、アルキルベンゼン類やαオレフィン類を主成分とする合成油である。
【００３２】
上記構成の本発明に係る冷凍サイクル装置において、各部品の相互の接続関係と機能を、暖房運転時を例にとり冷媒の流れとともに説明する。
【００３３】
圧縮機３の吐出口から吐出された冷媒は、第１配管８を通って四方弁４から室内熱交換器５へと至る。室内熱交換器５で室内空気と熱交換して凝縮した冷媒は、室内熱交換器５を出て第２配管９を通り、膨張弁６に至る。膨張弁６で減圧した冷媒は、第３配管１０を通って室外熱交換器７に至り、室外熱交換器７で室外空気と熱交換して蒸発した冷媒は、第４配管１１と四方弁４とアキュームレータ１２を通って圧縮機３の吸入口へと戻る。
【００３４】
また、第１配管８の圧縮機３吐出口と四方弁４の間から分岐した第５配管１３は、第１電磁弁１４を介して第３配管１０の膨張弁６と室外熱交換器７の間に合流している。
【００３５】
さらに、内部に蓄熱材１７と蓄熱熱交換器１６を収納した蓄熱槽１５は、圧縮機３に接して取り囲むように配置され、圧縮機３で発生した熱を蓄熱材１７に蓄積し、第２配管９から分岐した第６配管１８は、第２電磁弁２０を経て蓄熱熱交換器１６の入口へと至り、蓄熱熱交換器１６の出口から出た第７配管１９は、第４配管１１における四方弁４とアキュームレータ１２の間に合流する。
【００３６】
次に、通常暖房時の動作を説明する。
【００３７】
通常暖房運転時、第１電磁弁１４と第２電磁弁２０は閉制御されており、上述したように圧縮機３の吐出口から吐出された冷媒は、第１配管８を通って四方弁４から室内熱交換器５に至る。室内熱交換器５で室内空気と熱交換して凝縮した冷媒は、室内熱交換器５を出て、第２配管９を通り膨張弁６に至り、膨張弁６で減圧した冷媒は、第３配管１０を通って室外熱交換器７に至る。室外熱交換器７で室外空気と熱交換して蒸発した冷媒は、第４配管１１を通って四方弁４から圧縮機３の吸入口へと戻る。
【００３８】
また、圧縮機３で発生した熱は、圧縮機３の外壁から蓄熱槽１５の外壁を介して蓄熱槽１５の内部に収容された蓄熱材１７に蓄積される。
【００３９】
次に、運転停止後の状態について説明する。
【００４０】
図２は冷媒の圧力、潤滑油への冷媒溶解量および温度の関係を示す相関図である。また図３は潤滑油の温度、粘度、および冷媒溶解度の関係を示す相関図である。
【００４１】
図２に示すように、潤滑油と冷媒の種類を特定した場合において、一定の圧力であれば、温度が低いほど潤滑油に対する冷媒の溶解量は増加する。また、図３に示すように、温度一定の条件で潤滑油への冷媒溶解量が大きいほど潤滑油の動粘度は低下する。
【００４２】
圧縮機３内には、潤滑油と冷媒とが共存し、圧縮機３が停止して潤滑油や冷媒の温度が低下して行くと、潤滑油に冷媒が溶け込み、潤滑油の粘度が低下するおそれがある。
【００４３】
しかし、本実施の形態では、圧縮機３が運転中、圧縮機３の周囲の蓄熱槽１５内部の蓄熱材１７に、圧縮機３で発生した熱が蓄積され、圧縮機３が停止し、圧縮機３の温度等が低下しても、蓄熱材１７に蓄積された熱により、潤滑油は温度低下せず、潤滑油へ溶け込む冷媒量を減少させ、潤滑油の粘度低下を防止し、圧縮機３の信頼性低下を防止できる。
【００４４】
さらに、運転停止時の動作について説明する。
【００４５】
本実施の形態では、冷凍サイクル装置の運転停止時に、蓄熱温度センサ２１により検出された蓄熱装置の蓄熱材１７の温度が設定値より低い場合、蓄熱材１７の温度が設定値より高くなるまで、圧縮機３の運転を継続する。これによれば、外気温が低い場合でも、運転停止前に十分に蓄熱材１７に蓄積された熱により、潤滑油は温度低下せず、潤滑油へ溶け込む冷媒量を減少させ、潤滑油の粘度低下を防止し、圧縮機３の信頼性低下を確実に防止できる。
【００４６】
また、冷凍サイクル装置の運転停止時に、タイマーにより冷凍サイクル装置が一定時間後に運転開始するように設定された場合には、次のような動作を行うことが望ましい。つまり、蓄熱温度センサ２１により検出された蓄熱装置の蓄熱材１７の温度が予め定められ制御装置のメモリなどに記憶された設定値より低い場合には、外気温センサ２２により検出された室外温度と運転停止前の蓄熱材１７の温度と、タイマーにより設定された冷凍サイクル装置の停止時間を用い、運転中の蓄熱材１７の温度の低下温度を算出する。そして、運転再開時に、潤滑油へ溶け込む冷媒量を減少させ、潤滑油の粘度低下を防止するのに十分な蓄熱材１７の温度である第２の設定値以上となるように、第２の設定値に算出した低下温度を加え、第３の設定値を算出する。そして、運転停止前に、第３の設定値より高くなるまで、圧縮機３の運転を継続する。これによれば、圧縮機３が停止し、圧縮機３の温度等が低下しても、蓄熱材１７に蓄積された熱により、潤滑油は温度低下せず、潤滑油へ溶け込む冷媒量を減少させ、潤滑油の粘度低下を防止し、圧縮機３の信頼性低下を確実に防止できる。
【００４７】
本実施の形態によれば、塩素原子を含まず地球温暖化係数の低い炭素と炭素間に二重結合を有するハイドロフルオロオレフィンを主体とした冷媒を使用する場合においても、圧縮機を囲むように配置され蓄熱材により、圧縮機で発生した熱を利用して、圧縮機停止時においても潤滑油の温度低下を防止し、潤滑油への冷媒の過度の溶け込みを抑制することで、圧縮機運転開始時等の潤滑油の粘度低下に起因する潤滑不良を確実に防止し、地球環境にやさしく、圧縮機構の信頼性低下を防止することができる。
【００４８】
また、室外熱交換器７への着霜を取る除霜運転時には、第１電磁弁１４、第２電磁弁２０を開制御することにより、室外熱交換器７への除霜運転中にも、冷媒は蓄熱熱交換器１６から吸熱することができるので、暖房運転を継続することができる。このため、圧縮機
３の信頼性低下を防止することができるとともに、冷凍サイクル装置の性能の向上を図ることができる。
【００４９】
また、冷凍サイクル装置に封入される冷媒は、ハイドロフルオロオレフィンである、例えばテトラフルオロプロペン（ＨＦＯ１２３４ｙｆまたはＨＦＯ１２３４ｚｅ）を基本成分にジフルオロメタン（ＨＦＣ３２）とペンタフルオロエタン（ＨＦＣ１２５）とのいずれか一方又は両方を、地球温暖化係数（ＧＷＰ）が５以上で７５０以下、望ましくは５以上で３５０以下となるようにそれぞれ２成分混合もしくは３成分混合した冷媒であることが望ましい。または、ハイドロフルオロオレフィンの単一冷媒（ＧＷＰ＝４）であることが望ましい。
【００５０】
図４は、テトラフルオロプロペンとジフルオロメタン又はペンタフルオロエタンとの２成分を混合した冷媒の混合比率による地球温暖化係数を示した特性図である。具体的には図４に示すように、２成分混合の場合にはテトラフルオロプロペンとジフルオロメタンとを混合してＧＷＰ３５０以下とするためにはジフルオロメタンを５１ｗｔ％以下、テトラフルオロプロペンとペンタフルオロエタンとを混合してＧＷＰ７５０以下とするためにはペンタフルオロエタンを２１．３ｗｔ％以下、さらにＧＷＰ３５０以下とするためにはペンタフルオロエタンを９．９ｗｔ％以下と混合することになる。
【００５１】
また、冷媒をテトラフルオロプロペンの単一冷媒とした時にはＧＷＰ４となり極めて良好な値を示す。しかしながら、ハイドロフルオロカーボンと混合した冷媒に比べて比容積が大きいことなどから冷凍能力が低くなるため、より大きな冷却サイクル装置が必要になる。換言すれば、炭素と炭素間に２重結合を有するハイドロフルオロオレフィンを基本成分とし、２重結合を有しないハイドロフルオロカーボンを混合した冷媒を用いれば、ハイドロフルオロオレフィンの単一冷媒と比較して冷凍能力などの所定の特性を改善して冷媒として使用しやすくすることができる。従って、封入する冷媒において、単一冷媒を含めてテトラフルオロプロペンの割合をどれほどにするかは、圧縮機を組み込む冷却サイクル装置等の目的や上述したＧＷＰの制限などの条件に応じて適宜選択すればよい。
【００５２】
これによって回収されない冷媒が大気に放出されても地球温暖化に対しその影響を極少に保つことができる。また前記比率で混合された混合冷媒は、非共沸混合冷媒にも関わらず温度差を小さくでき擬似共沸混合冷媒に挙動が近づくため、冷凍サイクル装置の冷却性能や冷却性能係数（ＣＯＰ）を改善することができる。
【産業上の利用可能性】
【００５３】
本発明に係る冷凍サイクル装置は、潤滑油へ溶け込む冷媒量を減少させ、潤滑油の粘度低下を防止し、圧縮機３の信頼性低下を確実に防止できるので、冷凍サイクルを用いる冷蔵庫、ヒートポンプ給湯器、ヒートポンプ式洗濯機等に有用である。
【符号の説明】
【００５４】
１    室外機
２    室内機
３    圧縮機
４    四方弁
５    室内熱交換器
６    膨張弁
７    室外熱交換器
８    第１配管
９    第２配管
１０  第３配管
１１  第４配管
１２  アキュームレータ
１３  第５配管
１４  第１電磁弁
１５  蓄熱槽
１６  蓄熱熱交換器
１７  蓄熱材
１８  第６配管
１９  第７配管
２０  第２電磁弁
２１  蓄熱温度センサ
２２  外気温センサ
【図１】
0005659403.tif 000002
【図２】
0005659403.tif 000003
【図３】
0005659403.tif 000004
【図４】
0005659403.tif 000005
【図５】
0005659403.tif 000006